(57)【要約】家電機器１２の操作システム１０であって、インターネットに接続されたルーター装置２６と、家電機器１２を操作するための操作信号を送信する携帯端末１６と、家電機器１２に接続されて操作信号を受信する通信装置１４と、ルーター装置２６に接続され、通信装置１４と携帯端末１６との通信を中継する中継装置１８とを有する。携帯端末１６と中継装置１８とが、携帯端末１６と中継装置１８との間でルーター装置２６のみを介して通信する第１の通信と、インターネット２０およびルーター装置２６を介して携帯端末１６と中継装置１８との間で通信する第２とを実行可能に構成されている。携帯端末１６が、携帯端末１６を介するユーザーによる第１の通信または第２の通信の選択が実行できるように構成されている。
2014020880.tif 000002
【特許請求の範囲】
【請求項１】
家電機器の操作システムであって、
インターネットに接続されたルーター装置と、
ルーター装置およびインターネットに接続可能であって、家電機器を操作するための操作信号を送信する携帯端末と、
家電機器に接続されて操作信号を受信する通信装置と、
ルーター装置に接続され、通信装置と携帯端末との通信を中継する中継装置とを有し、
携帯端末と中継装置とが、携帯端末と中継装置との間でルーター装置のみを介して通信する第１の通信と、インターネットおよびルーター装置を介して携帯端末と中継装置との間で通信する第２の通信とを実行可能に構成され、
携帯端末が、携帯端末を介するユーザーによる第１の通信または第２の通信の選択が実行できるように構成されている、家電機器の操作システム。
【請求項２】
インターネットに接続され、中継装置にルーター装置のみを介してアクセスしたまたはインターネットおよびルーター装置を介してアクセスした携帯端末が中継装置との通信が許可された正規のユーザーの携帯端末であるかを認証するサーバー装置をさらに有し、
中継装置が、サーバー装置によって正規のユーザーの携帯端末と認証された携帯端末と第１の通信または第２の通信を実行する、請求項１に記載の家電機器の操作システム。
【請求項３】
インターネットに接続され、携帯端末の識別情報またはユーザーの識別情報と、中継装置の識別情報と、中継装置に接続される少なくとも一つの通信装置の識別情報または少なくとも一つの通信装置に接続されている家電機器の識別情報とを対応付けして保持するサーバー装置をさらに有する、請求項１または２に記載の家電機器の操作システム。
【請求項４】
通信装置が、家電機器に着脱可能に設けられている、請求項１から３のいずれか一項に記載の家電機器の操作システム。
【請求項５】
家電機器が空気調和機であり、
通信装置が、空調運転を制御する空気調和機の運転制御部に接続されている、請求項１から４のいずれか一項に記載の家電機器の操作システム。
【請求項６】
通信装置が、
中継装置と通信する通信機本体と、
空気調和機の運転制御部が備える通信装置接続用端子と着脱可能に接続するためのコネクタと、
通信機本体とコネクタとを接続するリード線と、
通信機本体を空気調和機または空気調和機が設置された室内に取り付けるための取り付け具とを有する、請求項５に記載の家電機器の操作システム。
【請求項７】
空気調和機が、本体と、本体の前部を開閉可能に覆うフロントパネルとを有し、
空気調和機の運転制御部の通信装置接続用端子が、空気調和機の本体の前部に設けられ、
通信装置の取り付け具が、空気調和機の本体のハウジングの縁を挟持するように構成されている、請求項６に記載の家電機器の操作システム。
【請求項８】
空気調和機の本体のハウジングは、取り付け具がハウジングの縁を挟持した状態の通信機本体に対して空気調和機の吹出口から吹き出された空気が直接的に当たらない位置に、取り付け具が挟持可能な縁を備える、請求項７に記載の家電機器の操作システム。
【請求項９】
空気調和機の運転制御部が該空気調和機の本体の前部に設けられ、
通信装置接続用端子が運転制御部に直接的に設けられている、請求項６に記載の家電機器の操作システム。
【請求項１０】
ルーター装置およびインターネットに接続可能な携帯端末にインストールされ、家電機器を操作するためのプログラムであって、
携帯端末を、
家電機器を操作するための操作信号を送信する手段、
家電機器に接続されて操作信号を受信する通信装置と携帯端末との通信を中継する中継装置に対してルーター装置のみを介する第１の通信を実行するまたはインターネットおよびルーター装置を介する第２の通信を実行する通信手段、および、
第１の通信または第２の通信のいずれを実行するかをユーザーに選択させる選択手段、として機能させる家電機器を操作するためのプログラム。
【発明の詳細な説明】
【技術分野】
【０００１】
本発明は、家電機器の操作システムおよび家電機器を操作するためのプログラムに関する。
【背景技術】
【０００２】
従来より、携帯電話等の携帯端末によって家電機器を操作することが行われている。例えば、特許文献１に記載の家電機器の操作システムは、家電機器に搭載された通信装置と、インターネットに接続されたセンターサーバーと、インターネットに接続され、通信装置と携帯端末との通信を中継する中継器とを有する。携帯端末がインターネットを介してセンターサーバーにアクセスすると、センターサーバーは、携帯端末の接続先を対応する中継器に切り替える。携帯端末がインターネットおよび中継器を介して通信装置に接続されると、携帯端末によって家電機器を操作することができる。
【先行技術文献】
【特許文献】
【０００３】
【特許文献１】特許第４６６４５２４号公報
【発明の概要】
【発明が解決しようとする課題】
【０００４】
ところで、家電機器、例えば空気調和機が設置された住居内にいるユーザーが、空気調和機に付属するリモートコントローラを使用せずに、携帯端末を用いて空気調和機を操作する場合がある。特許文献１に記載の家電機器の操作システムの場合、インターネットを介して空気調和機を操作する構成であるため、インターネット回線の混雑等を原因として、携帯端末へのユーザーの操作に対する空気調和機のレスポンスが遅延する場合がある。そのため、ユーザーが携帯端末によって空気調和機を快適に操作できないことがある。【０００５】
そこで、本発明は、ユーザーが携帯端末によって空気調和機などの家電機器を快適に操作することができる家電機器の操作システムを提供することを課題とする。
【課題を解決するための手段】
【０００６】
上記目的を達成するために、本発明は以下のように構成する。【０００７】
本発明の一態様は、家電機器の操作システムであって、インターネットに接続されたルーター装置と、ルーター装置およびインターネットに接続可能であって、家電機器を操作するための操作信号を送信する携帯端末と、家電機器に接続されて操作信号を受信する通信装置と、ルーター装置に接続され、通信装置と携帯端末との通信を中継する中継装置とを有し、携帯端末と中継装置とが、携帯端末と中継装置との間でルーター装置のみを介して通信する第１の通信と、インターネットおよびルーター装置を介して携帯端末と中継装置との間で通信する第２の通信とを実行可能に構成され、携帯端末が、携帯端末を介するユーザーによる第１の通信または第２の通信の選択が実行できるように構成されている、家電機器の操作システムが提供される。【０００８】
また、本発明の別の態様によれば、ルーター装置およびインターネットに接続可能な携帯端末にインストールされ、家電機器を操作するためのプログラムであって、携帯端末を、家電機器を操作するための操作信号を送信する手段、家電機器に接続されて操作信号を受信する通信装置と携帯端末との通信を中継する中継装置に対してルーター装置のみを介する第１の通信を実行するまたはインターネットおよびルーター装置を介する第２の通信を実行する通信手段、および、携帯端末を第１の通信手段または第２の通信手段のいずれに機能させるかをユーザーに選択させる選択手段、として機能させる家電機器を操作するためのプログラムが提供される。
【発明の効果】
【０００９】
本発明によれば、携帯端末と中継装置との通信方法として、ルーター装置のみを介する第１の通信またはインターネットおよびルーター装置を介する第２の通信を、ユーザーは選択することができる。これにより、家電機器が設置された住居内にいるユーザーは、ルーター装置のみを介する第１の通信を選択することにより、携帯端末によって家電機器を快適に操作することができる。また、住居外のユーザーは、インターネットおよびルーター装置を介する第２の通信を選択することにより、携帯端末によって家電機器を操作することができる。
【図面の簡単な説明】
【００１０】
本発明のこれらの態様と特徴は、添付された図面についての好ましい実施の形態に関連した次の記述から明らかになる。この図面においては、
【図１】本発明の一実施の形態に係る空気調和機の操作システムの概略的構成図
【図２】空気調和機の操作画面の一例を示す図
【図３】空気調和機を携帯端末で操作するための初期設定の流れの一例を示すフローチャート図
【図４】ゲートウェイ装置の識別情報の入力画面の一例を示す図
【図５】ゲートウェイ装置の情報画面の一例を示す図
【図６】無線通信アダプタの操作を促す画面の一例を示す図
【図７】サーバー装置が保持する、携帯端末（ユーザー）、ゲートウェイ装置、無線通信アダプタ、および空気調和機の対応関係に関する情報を概念的に示す図
【図８】空気調和機のユーザー登録画面の一例を示す図
【図９】無線通信アダプタが接続された状態の空気調和機の外観を示す斜視図
【図１０】空気調和機の内部を示す斜視図
【図１１】無線通信アダプタの構成を示す斜視図
【図１２】空気調和機に取り付けられる無線通信アダプタを示す図
【図１３】無線通信アダプタのリード線の配線レイアウトの一例を示す空気調和機の一部分の正面図
【図１４】無線通信アダプタのリード線の配線レイアウトの一例を示す空気調和機の一部分の斜視図
【発明を実施するための形態】
【００１１】
本発明の一態様は、家電機器の操作システムであって、インターネットに接続されたルーター装置と、ルーター装置およびインターネットに接続可能であって、家電機器を操作するための操作信号を送信する携帯端末と、家電機器に接続されて操作信号を受信する通信装置と、ルーター装置に接続され、通信装置と携帯端末との通信を中継する中継装置とを有し、携帯端末と中継装置とが、携帯端末と中継装置との間でルーター装置のみを介して通信する第１の通信と、インターネットおよびルーター装置を介して携帯端末と中継装置との間で通信する第２の通信とを実行可能に構成され、携帯端末が、携帯端末を介するユーザーによる第１の通信または第２の通信の選択が実行できるように構成されている。
【００１２】
このような構成の家電機器の操作システムによれば、携帯端末と中継装置との通信方法として、ルーター装置のみを介する第１の通信またはインターネットおよびルーター装置を介する第２の通信を、ユーザーは選択することができる。これにより、家電機器が設置された住居内にいるユーザーは、ルーター装置のみを介する第１の通信を選択することにより、携帯端末によって家電機器を快適に操作することができる。また、住居外のユーザーは、インターネットおよびルーター装置を介する第２通信を選択することにより、携帯端末によって家電機器を操作することができる。
【００１３】
家電機器の操作システムが、インターネットに接続され、中継装置にルーター装置のみを介してアクセスしたまたはインターネットおよびルーター装置を介してアクセスした携帯端末が中継装置との通信が許可された正規のユーザーの携帯端末であるかを認証するサーバー装置をさらに有し、中継装置が、サーバー装置によって正規のユーザーの携帯端末と認証された携帯端末と第１の通信または第２の通信を実行するようにしてもよい。
【００１４】
これにより、正規のユーザーの携帯端末と認証された携帯端末のみが家電機器を操作することができる。
【００１５】
家電機器の操作システムが、インターネットに接続され、携帯端末の識別情報またはユーザーの識別情報と、中継装置の識別情報と、中継装置に接続される少なくとも一つの通信装置の識別情報または少なくとも一つの通信装置に接続されている家電機器の識別情報とを対応付けして保持するサーバー装置をさらに有してもよい。
【００１６】
サーバー装置が保持する対応付けされた、携帯端末の識別情報またはユーザーの識別情報と、中継装置の識別情報と、中継装置に接続される少なくとも一つの通信装置の識別情報または少なくとも一つの通信装置に接続されている家電機器の識別情報とにより、家電機器のメーカーは、家電機器と携帯端末の中継装置を介する接続環境（利用環境）を知ることができる。一方、ユーザーは、携帯端末を買い換えたときなどに、家電機器と携帯端末の中継装置を介する接続環境を簡単に復元することができる。
【００１７】
通信装置が、家電機器に着脱可能に設けられてもよい。
【００１８】
これにより、複数の家電機器のいずれにも、通信装置を設けることができる。
【００１９】
家電機器が空気調和機であって、通信装置が、空調運転を制御する空気調和機の運転制御部に接続されてもよい。
【００２０】
これにより、携帯端末によって空気調和機を操作することができる。
【００２１】
家電機器が空気調和機である場合、通信装置が、中継装置と通信する通信機本体と、空気調和機の運転制御部が備える通信装置接続用端子と着脱可能に接続するためのコネクタと、通信機本体とコネクタとを接続するリード線と、通信機本体を空気調和機または空気調和機が設置された住居内に取り付けるための取り付け具とを有してもよい。
【００２２】
これにより、通信装置と中継装置との間の通信状態に応じて、通信装置を空気調和機または空気調和機が設置された住居内に取り付け具を介して取り付けることができる。その結果、通信装置と中継装置との通信が安定し、ユーザーは携帯端末によって空気調和機を確実に操作することができる。
【００２３】
空気調和機が、本体と、本体の前部を開閉可能に覆うフロントパネルとを有し、
空気調和機の運転制御部の通信装置接続用端子が、空気調和機の本体の前部に設けられ、通信装置の取り付け具が、空気調和機の本体のハウジングの縁を挟持するように構成されていてもよい。
【００２４】
これにより、フロントパネルを開ければ、空気調和機の本体の前部に設けられた通信装置接続用端子に通信装置のコネクタをすぐに接続することができる。それとともに、取り付け具に空気調和機の本体のハウジングの縁を挟持させることにより、通信装置の通信機本体を簡単に空気調和機に取り付けることができる。したがって、通信装置を短時間で簡単に空気調和機に設置することができる。
【００２５】
空気調和機の本体のハウジングが、取り付け具がハウジングの縁を挟持した状態の通信機本体に対して空気調和機の吹出口から吹き出された空気が直接的に当たらない位置に、取り付け具が挟持可能な縁を備えるのが好ましい。
【００２６】
これにより、冷房時の冷気が通信装置の通信機本体の表面に直接的に当たることによって該表面に結露（水滴）が発生することが抑制される。その結果、結露（水滴）によって通信機本体と中継装置との間の通信が妨害されることが抑制される。したがって、空気調和機が冷房運転中であっても、通信機本体と中継装置との間の通信品質を良好に維持することができ、通信の信頼性が向上する。
【００２７】
空気調和機の運転制御部が該空気調和機の本体の前部に設けられ、通信装置接続用端子が運転制御部に直接的に設けられてもよい。
【００２８】
これにより、通信装置接続用端子を、例えばリード線などを介して間接的に運転制御部に設ける場合に比べて、組み立て性が向上するとともにコストが低下する。
【００２９】
また、ルーター装置およびインターネットに接続可能な携帯端末にインストールされ、家電機器を操作するためのプログラムであって、携帯端末を、家電機器を操作するための操作信号を送信する手段、家電機器に接続されて操作信号を受信する通信装置と携帯端末との通信を中継する中継装置に対してルーター装置のみを介する第１の通信を実行するまたはインターネットおよびルーター装置を介する第２の通信を実行する通信手段、および、第１の通信または第２の通信のいずれを実行するかをユーザーに選択させる選択手段、として機能させる家電機器を操作するためのプログラムを用意するのが好ましい。
【００３０】
これにより、スマートフォンなどの汎用の携帯端末によって家電機器を操作することができる。
【００３１】
以下、実施の形態を挙げて本発明を説明する。なお、本発明は、以下の実施の形態に限定されない。
【００３２】
図１は本発明の一実施の形態に係る、家電機器の操作システムの構成を概略的に示している。なお、以下に説明する家電機器の操作システムは、家電機器の一例である空気調和機の操作システムであるが、本発明は、家電機器を空気調和機に限定しない。
【００３３】
図１に示す本実施の形態の空気調和機の操作システム１０は、携帯端末によって少なくとも１つの空気調和機を操作するためのシステムである。図１に示すように、空気調和機の操作システム１０は、複数の空気調和機１２と、空気調和機１２それぞれに設けられた無線通信アダプタ（通信装置）１４と、ユーザーが所有する携帯端末１６と、無線通信アダプタ１４と携帯端末１６との通信を中継するゲートウェイ装置（中継装置）１８と、インターネット２０と、インターネット２０に接続されたサーバー装置２２とを有する。
【００３４】
空気調和機１２は、例えば、携帯端末１６のユーザーの住居２４内に設置されている。この複数の空気調和機１２それぞれに無線通信アダプタ１４が１つずつ接続されている。
【００３５】
無線通信アダプタ１４は、空気調和機１２の空調運転を制御する運転制御部に接続されている。なお、空気調和機１２と無線通信アダプタ１４との具体的な接続については後述する。また、無線通信アダプタ１４は、ゲートウェイ装置１８と通信するように構成されている。無線通信アダプタ１４は、詳細は後述するが、携帯端末１６からゲートウェイ装置１８を介して送信された空気調和機を操作するための操作信号を受信し、受信した操作信号を空気調和機１２の運転制御部に出力する。この操作信号に基づいて、運転制御部は、空気調和機１２の空調運転を制御する。
【００３６】
無線通信アダプタ１４はまた、詳細は後述するが、空気調和機１２の識別情報（例えば、製造番号や型番等）を空気調和機１２の運転制御部から取得し、ゲートウェイ装置１８に送信するように構成されている。
【００３７】
携帯端末１６は、例えば、スマートフォン、タブレットＰＣ（パーソナルコンピュータ）などの汎用の携帯型の端末であって、本発明の場合、インターネット２０に接続する機能（手段）と、後述するゲートウェイ装置１８と通信する機能（手段）とを備える。
【００３８】
携帯端末１６（例えばスマートフォン）は、電話回線網（例えば３Ｇ回線網）を介して、インターネット２０に接続するように構成されている。それに加えてまたは代わりとして、例えば、携帯端末１６は、Ｗｉ−Ｆｉ通信機能によって公衆無線ＬＡＮを介してインターネット２０に接続するように構成されている。
【００３９】
インターネット２０に接続することにより、例えば、携帯端末１６は、空気調和機１２を操作するためのプログラムを、インターネット２０を介して空気調和機１２のメーカーのホームページから取得することができる。この取得したプログラムを携帯端末１８にインストールし、インストールしたプログラムを起動させることにより、携帯端末１８は、空気調和機１２を操作することが可能になる。すなわち、携帯端末１６は、空気調和機１２を操作するための操作信号を生成し、送信することが可能になる。
【００４０】
携帯端末１６はまた、例えば、Ｗｉ−Ｆｉ通信、Ｂｌｕｅｔｏｏｔｈ（登録商標）通信、赤外線通信などのインターネット２０を介さない汎用の通信によってルーター装置２６と接続し、そのルーター装置２６を介してゲートウェイ装置１８に通信接続するように構成されている。そのためのデバイス（例えばＷｉ−Ｆｉアンテナ等）が携帯端末１６に組み込まれている。
【００４１】
ゲートウェイ装置１８は、無線通信アダプタ１４と携帯端末１６との通信を中継する装置であって、無線通信アダプタ１４と通信可能に、且つ、ルーター装置２６を介して携帯端末１８と通信可能に構成されている。また、ゲートウェイ装置１８は、空気調和機１２が設置されたユーザーの住居２４内に設置され、インターネット２０に接続されたルーター装置２６に接続されている。
【００４２】
例えば、ゲートウェイ装置１８は、無線通信アダプタ１４と、特定小電力無線特別小型周波数帯（９２４．０〜９２８．０ＭＨｚ）の信号を用いて通信するように構成されている。なお、ゲートウェイ装置１８と無線通信アダプタ１４との通信の周波数帯は、遠距離まで届く低周波数帯が好ましい。
【００４３】
ゲートウェイ装置１８はまた、携帯端末１６とルーター装置２６を介して通信接続するように構成されている。すなわち、携帯端末１６とインターネット２０を介さずにルーター装置２６のみを介して通信（第１の通信）が実行できるように、ゲートウェイ装置１８は構成されている。
【００４４】
ゲートウェイ装置１８はさらに、ルーター装置２６を介してインターネット２０に接続可能に構成されている。これにより、ゲートウェイ装置１８は、インターネット２０およびルーター装置２６を介して、携帯端末１６と通信（第２の通信）することができるとともにサーバー装置２２にも通信することができる。
【００４５】
したがって、ゲートウェイ装置１８は、携帯端末１６に対して、インターネット２０を介さない通信（すなわちルーター装置２６のみを介する第１の通信）と、インターネット２０を介する通信（すなわちインターネット２０およびルーター装置２６を介する第２の通信）とが実行できるように構成されている。このように構成する理由については後述する。
【００４６】
サーバー装置２２は、空気調和機１２のメーカーが用意したサーバー装置であって、詳細は後述するが、ゲートウェイ装置１８にアクセスした携帯端末１６の認証などを実行するとともに、空気調和機１２、無線通信アダプタ１４、携帯端末１６、およびゲートウェイ装置１８に関する情報を保持するためのものである。
【００４７】
ここからは、携帯端末１６による空気調和機１２の操作について例を挙げて説明する。なお、ここで例として挙げる携帯端末１６は、タッチパネル１６ａを備えたスマートフォンであって、既に空気調和機１２の操作プログラムがインストールされて起動された状態である。また、携帯端末１６とルーター装置２６とがＷｉ−Ｆｉ通信する場合を例に挙げる。
【００４８】
図２は、携帯帯端末１６のタッチパネル１６ａに表示される、一例の空気調和機１２の操作画面３０である。携帯端末１６は、空気調和機を操作するとき、操作画面３０をタッチパネル１６ａに表示するように構成されている。
【００４９】
なお、空気調和機１２が複数存在する場合、携帯端末１６によって操作する空気調和機１２をユーザーに選択させるために、空気調和機の選択画面を表示するように携帯端末１６は構成されている。
【００５０】
図２に示すように、空気調和機１２を操作するための操作画面３０は、空気調和機の運転を設定するための複数のボタン３０ａ〜３０ｅを有する。なお、図２に示す操作画面３０は、リビングに設置された空気調和機１２を操作するための画面である。
【００５１】
「運転モード」ボタン３０ａは、空調運転のモードをユーザーが選択するためのボタンである。ユーザーが「運転モード」ボタン３０ａに触れると、携帯端末１６は、例えば、暖房運転、冷房運転、除湿運転などの複数の空調運転のモードから１つの空調運転モードをユーザーに選択させるための運転モード選択ウィンドウ（図示せず）をタッチパネル１６ａに表示する。ユーザーが選択した運転モードを、携帯端末１６は、操作画面３０の設定内容表示部３０ｆに表示するとともに、記憶部（図示せず）に記憶する。
【００５２】
「温度設定」ボタン３０ｂは、空調調和機１２から送風される空気の温度をユーザーが設定するためのボタンである。ユーザーが「温度設定」ボタン３０ｂに触れると、携帯端末１６は、例えば、ユーザーが所望の温度を入力するための温度入力ウインドウ（図示せず）を、タッチパネル１６ａに表示する。ユーザーによって入力された温度を、携帯端末１６は、設定内容表示部３０ｆに表示するとともに、記憶部に記憶する。
【００５３】
「風量設定」ボタン３０ｃは、空気調和機１２から送風される空気の風量をユーザーが設定するためのボタンである。ユーザーが「風量設定」ボタン３０ｃに触れると、携帯端末１６は、例えは、ユーザーが所望の風量を入力するための風量入力ウインドウ（図示せず）を、タッチパネル１６ａに表示する。ユーザーによって入力された風量を、携帯端末１６は、設定内容表示部３０ｆに表示するとともに、記憶部に記憶する。
【００５４】
「風向設定」ボタン３０ｄは、空気調和機１２から送風される空気の向きをユーザーが設定するためのボタンである。ユーザーが「風向設定」ボタン３０ｄに触れると、携帯端末１６は、例えば、ユーザーが所望の風向を入力するための風向入力ウインドウ（図示せず）を、タッチパネル１６ａに表示する。ユーザーによって入力された風向を、携帯端末１６は、設定内容表示部３０ｆに表示するとともに、記憶部に記憶する。
【００５５】
「設定送信」ボタン３０ｅは、携帯端末１６を介してユーザーによって設定された、運転モード、温度、風量、および風向の情報を空気調和機１２に送信するためのボタンである。
【００５６】
「設定送信」ボタン３０ｅにユーザーが触れると、ユーザーに設定されて記憶部に記憶されている、言い換えると設定内容部３０ｆに表示されている、運転モード、温度、風量、および風向の情報を含む空気調和機１２の操作信号をゲートウェイ装置１８に送信するように、携帯端末１６は構成されている。
【００５７】
なお、操作信号には、操作対象の空気調和機１２の識別情報が含まれている。これにより、ゲートウェイ装置１８は、携帯端末１６の操作対象である空気調和機１２にその空気調和機１２に接続されている無線通信アダプタ１４を介して操作信号を送信することができる。
【００５８】
このとき、携帯端末１６は、空気調和機１２の操作信号を、インターネット２０を介さずにルーター装置２６のみを介してゲートウェイ装置１８に送信する、またはインターネット２０およびルーター装置２６を介してゲートウェイ装置１８に送信する。具体的には、「設定送信」ボタン３０ｅにユーザーが触れた時点での通信設定に基づいて、携帯端末１６は、操作信号をゲートウェイ装置１８に送信するように構成されている。
【００５９】
図２に示すように、通信設定を行うための、具体的にはユーザーが携帯端末１６とゲートウェイ装置１８との通信をルーター装置２６のみを介して行うかまたはインターネット２０およびルーター装置２６を介して行うかを選択するためのボタン３０ｇ、３０ｈが、操作画面３０に設けられている。
【００６０】
「ダイレクト」ボタン３０ｇにユーザーが触れると、携帯端末１６は、携帯端末１６とゲートウェイ装置１８との間の通信として、ルーター装置２６のみを介する「ダイレクト」通信を設定するように構成されている。
【００６１】
「ダイレクト」通信が設定されている状態で、「設定送信」ボタン３０ｅにユーザーが触れると、空気調和機の操作信号が、携帯端末１６からゲートウェイ装置１８にルーター装置２６のみを介して送信される。ゲートウェイ装置１８は、受信した操作信号を、無線通信アダプタ１４に送信する。無線通信アダプタ１４は、無線通信アダプタ１４が接続されている空気調和機１２の識別情報を含む操作信号を受信すると、その操作信号を空気調和機１２に送信する。
【００６２】
一方、「サーバー」ボタン３０ｈにユーザーが触れると、携帯端末１６は、携帯端末１６とゲートウェイ装置１８との間の通信として、インターネット２０およびルーター装置２６を介する「サーバー」通信を設定するように構成されている。
【００６３】
「サーバー」通信が設定されている状態で、「設定送信」ボタン３０ｅにユーザーが触れると、空気調和機の操作信号が、携帯端末１６からインターネット２０およびルーター装置２６を介してサーバー装置２２に送信される。そして、サーバー装置２２が、受信した操作信号を、インターネット２０およびルーター装置２６を介してゲートウェイ装置１８に送信する。ゲートウェイ装置１８は、受信した操作信号を無線通信アダプタ１４に送信する。
【００６４】
なお、サーバー装置２２を介さずに、携帯端末１６からインターネット２０およびルーター装置２６を介してゲートウェイ装置１８に空気調和機の操作信号を送信するように構成してもよい。
【００６５】
このように、携帯端末１６とゲートウェイ装置１８との間の通信方法を、ユーザーに選択させる理由は、図１に示すように、携帯端末１６がユーザーの住居２４外で使用される場合（実線）と、住居２４内で使用される場合（二点鎖線）とに備えるためである。
【００６６】
図１に実線に示すように、携帯端末１６が住居２４外に位置する場合、広義には携帯端末１６がルーター装置２６と直接通信できない位置に存在する場合、携帯端末１６は、インターネット２０およびルーター装置２６を介してゲートウェイ装置１８と通信を行うことにより、空気調和機１２を操作することができる。すなわち、ユーザーは、住居２４外にいる場合、「サーバー」ボタン３０ｈに触れて「サーバー」通信を設定することにより、携帯端末１６によって空気調和機１２を操作することができる。
【００６７】
一方、図１に二点鎖線に示すように、携帯端末１６が住居２４内に位置する場合、広義には携帯端末１６がルーター装置２６と直接通信できる位置に存在する場合、携帯端末１６は、ルーター装置２６のみを介してゲートウェイ装置１８と通信することができ、またインターネット２０およびルーター装置２６を介してゲートウェイ装置１８と通信することもできる。すなわち、ユーザーは、「ダイレクト」通信または「サーバー」通信のいずれか一方を選択することができる。
【００６８】
しかしながら、住居２４内のユーザーが携帯端末１６によって空気調和機１２を頻繁に操作したい場合、携帯端末１６とゲートウェイ装置１８との通信として、インターネット２０およびルーター装置２６を介する「サーバー」通信は好ましくない。その理由は、インターネット２０の回線の混雑等により、携帯端末１６へのユーザーの操作に対する空気調和機１２のレスポンスに遅延が発生する可能性があるからである。そのため、ユーザーが携帯端末１６によって空気調和機１２を快適に操作できない可能性がある。
【００６９】
この対処として、インターネット２０の回線の混雑等を受けない、すなわちインターネット２０を介さない携帯端末１６とゲートウェイ装置１８とのルーター装置２６のみを介する通信が実行できるように、空気調和機１２の操作システムは構成されている。携帯端末１６とゲートウェイ装置１８とがルーター装置２６のみを介して通信することにより、ユーザーは、空気調和機１２に付属するリモートコントローラと同様に、携帯端末１６によって快適に空気調和機１２を操作することができる。
【００７０】
なお、携帯端末１６とゲートウェイ装置１８との通信方法をユーザーに選択させる理由は、携帯端末１６によって空気調和機１２を頻繁に操作するか否かは、ユーザーにしかわからないからである。
【００７１】
また、上記した複数のボタン以外に、図示してはいないが、携帯端末１６の操作画面３０には、空気調和機１２の運転をオンするまたはオフするためのボタン、所定の時間になると自動的に空気調和機１２の運転を開始するためにタイマーの設定を行うためのボタン等が表示される。
【００７２】
ここからは、携帯端末１６によって空気調和機１２を操作するために必要な、初期設定について説明する。また、初期設定に必要な、無線通信アダプタ１４、携帯端末１６、ゲートウェイ装置１８、およびサーバー装置２２の機能（構成）についても説明する。
【００７３】
初期設定として、ユーザーの登録設定が行われる。ユーザーの登録設定は、ユーザーの携帯端末１６と空気調和機１２との通信を可能とするために必要な初期設定であって、ゲートウェイ装置１８に対して携帯端末１６またはユーザーが登録される。携帯端末１６（空気調和機１２の操作プログラムがインストールされたスマートフォン）は、その登録設定を実行できるように構成されている。その携帯端末１６の登録設定の流れの一例について、図３に示すフローチャートを参照しながら説明する。
【００７４】
図３に示すように、まず、ステップＳ１００において、携帯端末１６は、そのタッチパネル１６ａに、図４に示す、ゲートウェイ装置１４の識別情報を携帯端末１６に対してユーザーが入力するための入力画面３２を表示する。図４に示す入力画面３２は、一例であって、例えば、タッチパネル１６ａ上の「ＧＷ登録ボタン」にユーザーが触れることによって表示される。
【００７５】
図４に示す入力画面３２を介して携帯端末１６に入力されるゲートウェイ装置１４の識別情報は、例えばゲートウェイ装置１４の固有の番号であって、本実施の形態の場合、予め設定された識別番号（ＩＤ）３２ａと、パスワード（ＰＷ）３２ｂである。また、ユーザーによって定義されたゲートウェイ装置１４の呼称（名称）３２ｃが、ゲートウェイ装置１４の識別情報として携帯端末１６に入力される。
【００７６】
ステップＳ１１０においてユーザーによってゲートウェイ装置１４の識別情報が入力されると、続くステップＳ１２０において、携帯端末１６は、入力されたゲートウェイ装置１４の識別情報を、携帯端末１６の識別情報（またはユーザーの識別情報）とともにサーバー装置２２に送信する。
【００７７】
なお、携帯端末１６の識別情報は、他の携帯端末と区別するための情報であればよく、携帯端末１６の識別番号（ＩＤ）であってもよいし、携帯端末１６にインストールされた、空気調和機操作プログラムのシリアル番号であってもよい。一方、ユーザーの識別情報は、携帯端末１６に入力され、例えば、ユーザーの名前、ＩＤ、パスワードである。
【００７８】
また、携帯端末１６からのサーバー装置２２への送信は、インターネット２０およびルーター装置２６を介して行われてもよいし、ルーター装置２６を介さずにインターネット２０のみを介して行われてもよい。
【００７９】
ステップＳ１３０において、サーバー装置２２は、携帯端末１６から送信された、ゲートウェイ装置１８の識別情報と携帯端末１６の識別情報（またはユーザーの識別情報）とを受信すると、これらの識別情報を相互に対応付けて記憶する。これにより、携帯端末１６またはユーザーが、ゲートウェイ装置１８に対応付けされて登録される。
【００８０】
登録設定が完了した携帯端末１６または登録設定が完了したユーザーの携帯端末１６は、ユーザーが再びゲートウェイ装置１８の識別情報を携帯端末１６に入力することなく、ゲートウェイ装置１８に対してルーター装置２６のみを介して通信するまたはインターネット２０およびルーター装置２６を介して通信することが可能になる、すなわち空気調和機１２を操作することが可能になる。
【００８１】
具体的に説明すると、携帯端末１６は、ゲートウェイ装置１８にルーター装置２６のみを介してアクセスまたはインターネット２０およびルーター装置２６を介してアクセスするとき、その携帯端末１６の識別情報（またはユーザーの識別情報）を含む通信要求信号を、ゲートウェイ装置１８に向かって送信するように構成されている。
【００８２】
携帯端末１６からの通信要求信号を受信したゲートウェイ装置１８は、通信要求信号に含まれる携帯端末１６の識別情報（またはユーザーの識別情報）を、インターネット２０およびルーター装置２６を介してサーバー装置２２に送信する。
【００８３】
サーバー装置２２は、通信要求信号に含まれる携帯端末１６の識別情報（またはユーザーの識別情報）に基づいて、通信要求信号を送信した携帯端末１６が正規のユーザーの携帯端末であるかを認証するように構成されている。すなわち、サーバー装置２２が、携帯端末１６の認証サーバー装置として機能する。
【００８４】
具体的には、サーバー装置２２は、通信要求信号に含まれる携帯端末１６の識別情報（またはユーザーの識別情報）と、ゲートウェイ装置１８に対応付けされて記憶（登録）されている携帯端末の識別情報（またはユーザーの識別情報）とが一致するか否かを認証（判別）するように構成されている。
【００８５】
サーバー装置２２によって通信要求信号を送信した携帯端末１６が正規のユーザーの携帯端末であると認証されると、ゲートウェイ装置１８は、携帯端末１６との通信を開始する。
【００８６】
このように、ゲートウェイ装置１８にアクセスした携帯端末１６の認証を実行することにより、ユーザーが再びゲートウェイ装置１８の識別情報を携帯端末１６に入力することなく、携帯端末１６とゲートウェイ装置１８は通信することができる。また、正規のユーザーの携帯端末と認証されていない携帯端末から送信された操作信号、例えば他人が所有する携帯端末から送信された操作信号によって空気調和機１２が動作することを防止することができる。すなわち、正規のユーザーの携帯端末と認証された携帯端末１６のみが空気調和機１２を操作することができる。
【００８７】
なお、サーバー装置２２による携帯端末１６の認証を省略することも可能である。例えば、携帯端末１６がゲートウェイ装置２２の識別情報を含む操作信号を送信し、ゲートウェイ装置２２が自身の識別情報を含む操作信号のみ受け付けるようにしてもよい。
【００８８】
ステップＳ１４０において、携帯端末１６は、そのタッチパネル１６ａ上に、図５に示す、ゲートウェイ装置１８の情報を示す情報画面３４を表示する。図５に示す情報画面３４は、一例であって、ユーザーによって「リビングのＧＷ」とその名称が定義されたゲートウェイ装置１８の情報を示している。具体的には、ゲートウェイ装置１８に接続されている空気調和機１２（子供部屋のエアコン）の情報が示されている。図５に示す情報画面３４はまた、ゲートウェイ装置１８に無線通信アダプタ１４（すなわち空気調和機１４）を新規接続するための「エアコンの新規接続」ボタン３４ｂを有する。
【００８９】
ステップＳ１５０においてユーザーが「エアコンの新規接続」ボタン３４ｂに触れると、続くステップＳ１６０において、携帯端末１６は、無線通信アダプタ１４の「接続」ボタン１４ａの操作を促す画面３６（図６参照）を、タッチパネル１６ａに表示する。画面３６には、「接続」ボタン１４ａを備える無線通信アダプタ１４の画像が含まれる。
【００９０】
無線通信アダプタ１４は、図１に示すように、ゲートウェイ装置１８と新規接続するための「接続」ボタン１４ａを備える。「接続」ボタン１４ａがユーザーによって操作されると、無線通信アダプタ１４は、空気調和機１２の運転制御部から空気調和機１２の識別情報（例えば製造番号や型番）を取得するように構成されている。また、無線通信アダプタ１４は、取得した空気調和機１２の識別情報を信号として出力するように構成されている。なお、空気調和機１２の識別情報の代わりに、無線通信アダプタ１４の識別情報を信号として出力してもよい。この場合、無線通信アダプタ１４の識別情報は、例えば、識別番号や製造番号などである。
【００９１】
ステップＳ１７０において無線通信アダプタ１４の「接続」ボタン１４ａがユーザーによって操作されると、続くステップＳ１８０において、無線通信アダプタ１４は、ゲートウェイ装置１８を介してサーバー装置２２に、空気調和機１２の識別情報または無線通信アダプタ１４の識別情報を送信する。
【００９２】
ステップ１９０において、ゲートウェイ装置１８から空気調和機１２の識別情報または無線通信アダプタ１４の識別情報を受信すると、サーバー装置２２は、これらの識別情報を、記憶部に記憶された（ステップＳ１３０において記憶された）ゲートウェイ装置１８の識別情報に対応付けして記憶する。
【００９３】
ステップＳ１３０、Ｓ１９０により、図７に概念的に示すように、サーバー装置２２は、携帯端末１６（またはユーザー）、ゲートウェイ装置１８、および空気調和機１２（または無線通信アダプタ１４）の対応関係に関する情報を保持することができる。この対応関係情報に基づいて、例えば、携帯端末１６−１は、操作対象の空気調和機１２−３に対する操作信号を、空気調和機１２−３に接続されているゲートウェイ装置１８−１に送信することができる。また、図５に示すように、ゲートウェイ装置１８の情報画面３４に、ゲートウェイ装置１８に接続されている複数の空気調和機１２の一覧を表示することができる。
【００９４】
なお、図４に示すゲートウェイ装置１８の新規登録画面３２を介してゲートウェイ装置１８の名称をユーザーが所望に定義できることと同様に、ユーザーが空気調和機１２の名称を定義できるようにしてもよい。
【００９５】
例えば、図８に示すように、空気調和機１２のユーザー登録をできるように、携帯端末１６が構成されている。携帯端末１６は、空気調和機１２をユーザー登録するためのユーザー登録画面３８を、タッチパネル１６ａに表示する。このとき、ユーザー登録に必要な購入日や購入店の情報とともに、所望する空気調和機１２の名称３８ａもユーザーユーザー登録画面３８を介して入力させる。これにより、サーバー装置２２は、空気調和機１２の識別情報として、ユーザーが所望する名称を保持することができる。なお、図８に示す空気調和機１２のユーザー登録画面３８は一例である。
【００９６】
このように、サーバー装置２２が、携帯端末１６（またはユーザー）、ゲートウェイ装置１８、および空気調和機１２（または無線通信アダプタ１４）の対応関係の情報を保持することにより、空気調和機１２のメーカーは、空気調和機１２と携帯端末１６のゲートウェイ装置１８および無線通信アダプタ１４を介する接続環境（利用環境）を知ることができる。
【００９７】
一方、ユーザーは、例えば、携帯端末１２を買い換えたとき、空気調和機操作プログラムを再インストールしたときなどに、サーバー装置が保持するゲートウェイ装置１８および空気調和機１２（または無線通信アダプタ１４）の対応関係の情報を用いることにより、空気調和機１２と携帯端末１６のゲートウェイ装置１８および無線通信アダプタ１４を介する接続環境を簡単に復元することができる。
【００９８】
例えば、空気調和機１２（または無線通信アダプタ１４）と、ゲートウェイ装置１８との対応関係を示す情報を含む接続定義ファイルを、サーバー装置２２からダウンロードして携帯端末１６にインストールすることにより、空気調和機１２を操作するための環境（操作システム）を簡単に復元することができる。すなわち、ゲートウェイ装置１８の識別情報を再入力することなく、また複数の空気調和機１２それぞれの無線通信アダプタ１４の「接続」ボタン１４ａを操作することなく、複数の空気調和機１２を操作することが可能になる。
【００９９】
ここからは、空気調和機１２と無線通信アダプタ１４との接続について詳細に説明する。
【０１００】
図９は空気調和機１２の外観を示す斜視図であって、図１０は空気調和機１２の内部を示す斜視図である。
【０１０１】
図９に示すように、空気調和機１２は、主に台枠によって構成されている本体１２ａと、本体１２ａの前部（空気調和機１２の正面側の部分）を開閉可能に覆うフロントパネル１２ｂとを有する。本体部１２ａおよびフロントパネル１２ｂは、ほとんどの部分が合成樹脂によって作製されている。
【０１０２】
フロントパネル１２ｂを省略した図１０に示すように、空気調和機１２は、本体１２ａの上方部と前方部とに形成されて空気を本体１２ａ内に吸い込むための吸込口１２ｃと、本体１２ａの下方部に形成されて本体１２ａ内の空気を外部（住居２４内）に吹き出すための吹出口１２ｄとを有する。なお、吸込口１２ｃを介して本体１２ａ内に空気を吸い込むとき、フロントパネル１２ｂが開くことにより、本体１２ａの前方部に形成された吸込口１２ｃが外部に露出される。また、吸込口１２ｃと吹出口１２ｄとの間に、吸込口１２ｃから吹出口１２ｄに向かう空気の流れを発生させるためのファン１２ｅと、本体１２ａ内に吸い込まれた空気と熱交換する熱交換器（図示せず）とが配置されている。
【０１０３】
また、空気調和機１２の本体１２ａの上方前方部に位置するフレーム１２ｆに、空気調和機１２を制御するための制御ボックス１２ｇが取り付けられている。この制御ボックス１２ｇ内に運転制御部１２ｈが収容されている。
【０１０４】
運転制御部１２ｈは、制御基板を有し、その制御基板に無線通信アダプタ１４と接続するためのアダプタ接続用端子１２ｉが直接的に設けられている。
【０１０５】
なお、空気調和機１２を携帯端末１６によって操作するための無線通信アダプタ１４が運転制御部１２ｈのアダプタ接続用端子１２ｉに接続されていない場合、空気調和機１２は、運転制御部１２ｈに組み込まれている制御シーケンスにしたがって空調運転を実行する。
【０１０６】
無線通信アダプタ１４は、図１１に示すように、ゲートウェイ装置１８と通信するための通信機本体１４ｂと、空気調和機１２の運転制御部１２ｈのアダプタ接続用端子１２ｉと着脱可能に接続するコネクタ１４ｃと、通信機本体１４ｂとコネクタ１４ｃとを接続するリード線１４ｄとを有する。
【０１０７】
また、無線通信アダプタ１４は、その通信機本体１４ｂを空気調和機１２（その本体部１２ａ）または空気調和機１２が設置された住居２４の室内（例えば、空気調和機１２が取り付けられた室内の壁面、空気調和機１２近傍の室内の柱など）に取り付けるための取り付け具１４ｅを有する。
【０１０８】
具体的には、本実施の形態の場合、無線通信アダプタ１４の取り付け具１４ｅは、図１１に示すように、一枚の薄い金属板をＵ字状に二つ折りすることによって作製されており、クリップ状である。また、取り付け具１４ｅは、そのベース部１４ｆが通信機本体１４ｂの背面に固定されている。本実施の形態の場合、取り付け具１４ｅのベース部１４ｆに貫通孔１４ｇが形成されており、その貫通穴１４ｇに係合する突起１４ｈが通信機本体１４ｂの背面に形成されている。また、通信機本体１４ｂの背面には、取り付け具１４ｅのベース部１４ｆが通信機本体１４ｂの背面に沿って間に挿入される一対の係止片１４ｉが形成されている。
【０１０９】
また、無線通信アダプタ１４の取り付け具１４ｅは、ベース部１４ｆに対して間隔をあけて対向する対向部１４ｊを有する。図１２に示すように、空気調和機１２の本体１２ａのハウジングの縁１２ｊを取り付け具１４ｅのベース部１４ｆと対向部１４ｊとの間に挟持させることにより、無線通信アダプタ１４の通信機本体１４ｂを空気調和機１２に取り付けることができる。なお、図１２では、無線通信アダプタ１４の通信機本体１４ｂは、空気調和機１２の本体１２ａの外部に露出した状態で取り付けられているが、外部に露出させずに本体１２ａ内に取り付けることも可能である。
【０１１０】
また、空気調和機１２の本体１２ａのハウジングは、無線通信アダプタ１４の取り付け具１４ｅが挟持可能な縁１２ｊを、吹出口１２ｄから離れた部分に備えるのが好ましい。具体的には、空気調和機１２の本体１２ａのハウジングは、取り付け具１４ｅが本体１２ａのハウジングの縁１２ｊを挟持した状態の通信機本体１４ｂに対して吹出口１２ｄから吹き出された空気が直接的に当たらない位置に、取り付け具１４ｅが挟持可能な縁１２ｊを備えるのが好ましい。これにより、空気調和機１２の冷房運転時、吹出口１２ｄからの大量の冷気が無線通信アダプタ１４の通信機本体１４ｂに当たることが抑制される。その結果、無線通信アダプタ１４の通信機本体１４ｂの表面に結露（水滴）が発生することが抑制され、結露（水滴）によって通信機本体１４ｂとゲートウェイ装置１８との間の通信が妨害されることが抑制される。したがって、空気調和機１２が冷房運転中であっても、無線アダプタ１４とゲートウェイ装置１８との間の通信品質を良好に維持でき、通信の信頼性が向上する。
【０１１１】
さらに、無線通信アダプタ１４の取り付け具１４ｅは、通信機本体１４ｂを住居２４の室内に取り付けるための前方後円形状の取り付け穴１４ｋをその対向部１４ｊに備える。この取り付け穴１４ｋに、例えば室内の壁面に取り付けられたビス１４ｌを係合させることにより、無線通信アダプタ１４の通信機本体１４ｂを室内に取り付けることができる。
【０１１２】
このような取り付け具１４ｅにより、無線通信アダプタ１４の通信機本体１４ｂを、空気調和機１２または空気調和機１２が設置された住居２４の室内に取り付けることができる。すなわち、無線通信アダプタ１４の通信機本体１４ｂの設置に関して自由度が向上する。
【０１１３】
無線通信アダプタ１４の通信機本体１４ｂを空気調和機１２の内部に配置した状態で、例えば、図１２に示す空気調和機１２の本体１２ａのハウジングの縁１２ｊを取り付け具１４ｅが挟持する場合、通信機本体１４ｂによって空気調和機１２の外観の見栄えが損なわれることが抑制される。この場合、無線通信アダプタ１４のリード線１４ｄは、空気調和機１２に内部の任意の位置に配設されて運転制御部１２ｈのアダプタ接続用端子１２ｉに接続される。例えば、図１３および図１４に示すように、リード線１４ｄは、運転制御部１２ｈを収容する制御ボックス１２ｇに形成されてリード線１４ｄを収容するリード線ガイド溝１２ｋ、ファン１２ｅの外周に設けられたダクト１２ｌなどを介して、運転制御部１２ｈのアダプタ接続用端子１２ｉに接続される。
【０１１４】
無線通信アダプタ１４の通信機本体１４ｂを、外部に露出させずに空気調和機１２内に配置すると、通信機本体１４ｂとゲートウェイ装置１８との間の通信の安定性が低下する場合がある。例えば、空気調和機１２が金属製の取り付けプレート（図示せず）を介して住居２４の室内の壁面に取り付けられている場合、その取り付けプレートによって通信機本体１４ｂとゲートウェイ装置１８との通信が妨害されることがある。このようなことが想定される場合、無線通信アダプタ１４の通信機本体１４ｂは、図１２に示すように、空気調和機１２の外部に露出した状態で、取り付け具１４ｅを介して空気調和機１２に取り付けられる。
【０１１５】
無線通信アダプタ１４の通信機本体１４ｂを外部に露出した状態で空気調和機１２に取り付けても、通信機本体１４ｂとゲートウェイ装置１８との間の通信の安定性が低い場合には、通信機本体１４ｂは、空気調和機１２から離れた位置に設置される。例えば、空気調和機１２から離れた住居２４の室内の壁面部分に取り付けられたビス１４ｌに取り付け具１４ｅの取り付け穴１４ｋを係合させることにより、通信機本体１４ｂが室内の壁面に取り付けられる。この場合、リード線３４の一部は、空気調和機１２の内部から引き出され、例えば室内の壁面に配設される。
【０１１６】
このように、無線通信アダプタ１４の通信機本体１４ｂの設置に関して自由度が高いため、無線アダプタ１４の通信機本体１４ｂとゲートウェイ装置１８との間の通信が安定する位置に通信機本体１４ｂを設置することができる。
【０１１７】
無線通信アダプタ１４のリード線１４ｄの配設に関連して言えば、図１０に示すように、リード線１４ｄ（そのコネクタ１４ｃ）が接続される運転制御部１２ｈのアダプタ接続用端子１２ｉは、空気調和機１２の本体１２ａの前部に設けるのが好ましい。例えば、図１０に示すように、運転制御部１２ｈが空気調和機１２の本体１２ａの前部に設けられ、アダプタ接続用端子１２ｉが直接的に運転制御部１２ｈに設けられる。これにより、フロントパネル１２ｂを開けることにより、リード線１４ｄを運転制御部１２ｈのアダプタ接続用端子１２ｉに容易に接続することができる。その結果、リード線１４ｄの配設を含む無線アダプタ１４の設置作業を短時間で行うことができる。
【０１１８】
本実施の形態によれば、携帯端末１６とゲートウェイ装置１８との通信方法として、ルーター装置２６のみを介する通信またはインターネット２０およびルーター装置２６を介する通信を、ユーザーは選択することができる。これにより、空気調和機１２が設置された住居内にいるユーザーは、ルーター装置２６のみを介する通信を選択することにより、携帯端末１６によって空気調和機１２を快適に操作することができる。また、住居外のユーザーは、インターネット２０およびルーター装置２６を介する通信を選択することにより、携帯端末１６によって空気調和機１２を操作することができる。
【０１１９】
上述の実施の形態を挙げて本発明を説明したが、本発明は上述の実施の形態に限定されない。
【０１２０】
例えば、上述の実施の形態の場合、空気調和機を操作する携帯端末は、スマートフォンなどの汎用の携帯端末であるが、本発明はそれに限らない。例えば、空気調和機を操作するためだけの専用の携帯端末であってもよい。
【０１２１】
また、上述の実施の形態の場合、１つのサーバー装置２２が携帯端末１６の認証とゲートウェイ装置１８等の情報の保持とを実行しているが、本発明はこれに限らない。携帯端末認証用のサーバー装置と、情報保持用のサーバー装置とを設けてもよい。
【０１２２】
さらに、図１３に示すように、無線通信アダプタ１４と接続するアダプタ接続用端子１４ｉは、空気調和機１２の運転制御部１２ｈに直接的に設けられているが、例えばリード線を介することにより運転制御部１２ｈに間接的に設けられてもよい。
この場合、アダプタ接続用端子１４ｉを空気調和機１２の任意の位置に設けることができる。例えば、アダプタ接続用端子１４ｉを空気調和機１２の外面に設けてもよい。この場合、無線通信アダプタ１４が接続されていないときにアダプタ接続用端子１４ｉを覆う、例えばキャップが設けられる。一方、図１３に示すように、運転制御部１２ｈに直接的にアダプタ接続用端子１２ｉを設けた場合は、リード線等が不要になるため、組み立て性が向上し、またコストが低下する。
【０１２３】
さらにまた、無線通信アダプタ１４は、空気調和機１２に着脱可能に設けることに代わって、すなわち空気調和機１２に後付けできるオプション部品としてではなく、空気調和機１２に一体的に設けられた該空気調和機１２の１つの構成要素であってもよい。
【０１２４】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【０１２５】
２０１２年７月３０日に出願された日本特許出願第２０１２−１６７９７１号および同年８月２日に出願された日本特許出願第２０１２−１７２２６４号の明細書、図面、及び特許請求の範囲の開示内容は、全体として参照されて本明細書の中に取り入れられるものである。
【図１】
2014020880.tif 000003
【図２】
2014020880.tif 000004
【図３】
2014020880.tif 000005
【図４】
2014020880.tif 000006
【図５】
2014020880.tif 000007
【図６】
2014020880.tif 000008
【図７】
2014020880.tif 000009
【図８】
2014020880.tif 000010
【図９】
2014020880.tif 000011
【図１０】
2014020880.tif 000012
【図１１】
2014020880.tif 000013
【図１２】
2014020880.tif 000014
【図１３】
2014020880.tif 000015
【図１４】
2014020880.tif 000016
【国際調査報告】
2014020880.tif 000017
2014020880.tif 000018
2014020880.tif 000019
2014020880.tif 000020